(57)【特許請求の範囲】
【請求項１】
シーン画像を収集し、並列識別方式で、前記シーン画像中の１つまたは複数の顔画像を識別することと、
登録済みユーザ及び未登録ユーザを含む前記顔画像の属性を確定することと、
前記シーン画像中に複数の顔画像が含まれる状況に応じて、前記複数の顔画像に対応する属性中に前記登録済みユーザが含まれるかどうかを判定することと、
前記判定の結果が肯定的である場合に、ドアアクセス装置に開放コマンドを送信し、前記ドアアクセス装置を開放するように制御することと、
前記判定の結果が否定的である場合に、ドアアクセス認証要求コマンドを受信したかどうかを判定することと、
前記ドアアクセス認証要求コマンドを受信したことに応じて、前記ドアアクセス認証要求コマンド認証に通った場合に、前記ドアアクセス装置に前記開放コマンドを送信し、前記ドアアクセス装置を開放するように制御することと、を含むドアアクセス制御方法。
【請求項２】
前記ドアアクセス認証要求コマンド認証に通らない場合に、前記ドアアクセス装置にドアベルトリガーインターフェイス表示コマンドを送信すること、及び／又は
警報提示を送信することを更に含む請求項１に記載の方法。
【請求項３】
前記複数の顔画像に対応する属性中に前記登録済みユーザが含まれ、且つ前記登録済みユーザの数が前記顔画像の数より小さい場合に、警報提示を送信することを更に含む請求項１に記載の方法。
【請求項４】
前記シーン画像中に１つの顔画像が含まれる状況に応じて、前記顔画像の属性が前記登録済みユーザであるかどうかを判定することと、
前記判定の結果が肯定的である場合に、前記ドアアクセス装置に前記開放コマンドを送信し、前記ドアアクセス装置を開放するように制御することと、前記判定の結果が否定的である場合に、前記ドアアクセス認証要求コマンドを受信したかどうかを判定することと、
前記ドアアクセス認証要求コマンドを受信したことに応じて、前記ドアアクセス認証要求コマンド認証に通った場合に、前記ドアアクセス装置に前記開放コマンドを送信し、前記ドアアクセス装置を開放するように制御することと、を更に含む請求項１に記載の方法。
【請求項５】
前記ドアアクセス認証要求コマンド認証に通らない場合に、前記ドアアクセス装置にドアベルトリガーインターフェイス表示コマンドを送信すること、及び／又は
警報提示を送信することをさらに含む請求項４に記載の方法。
【請求項６】
前記シーン画像中の複数の顔画像を識別した後、
前記複数の顔画像がそれぞれ属する訪問者の間の身体動作を識別することと、
前記身体動作に応じて前記複数の顔画像にグループ属性をマーキングすることであって、前記グループ属性が、前記複数の顔がそれぞれ属する訪問者の間の対人関係を表すために用いられることと、を更に含む請求項１に記載の方法。
【請求項７】
第１の顔画像に対する訪問権限変更情報を受信することであって、前記訪問権限変更情報が訪問場所、訪問回数及び／又は訪問時間を含むことと、
前記訪問権限変更情報に基づいて前記第１の顔画像に対応する訪問権限を変更することと、を更に含む請求項１に記載の方法。
【請求項８】
前記ドアアクセス装置に前記開放コマンドを送信し、前記ドアアクセス装置を開放するように制御する場合に、それぞれの顔画像に対応する、通過時間、地点及び前記顔画像中の少なくとも１つを含む通過記録を生成することを更に含む請求項１〜７のいずれか１項に記載の方法。
【請求項９】
前記並列識別方式は、
複数の顔画像に対して、事前に設定された時間順で交替して各顔画像の識別を行う時間上の並列識別方式、又は、複数の顔画像に対して、顔特徴抽出、顔マッチイングという順で交替して各顔画像の識別を行うステップ上の並列識別方式、を含む、
請求項１に記載の方法。
【請求項１０】
シーン画像を収集するように構成される収集ユニットと、
並列識別方式で、前記シーン画像中の１つまたは複数の顔画像を識別するように構成される識別ユニットと、
登録済みユーザ及び未登録ユーザを含む前記顔画像の属性を確定するように構成される確定ユニットと、
前記シーン画像中に複数の顔画像が含まれる状況に応じて、前記複数の顔画像に対応する属性中に前記登録済みユーザが含まれるかどうかを判定するように構成される判定ユニットと、
前記複数の顔画像に対応する属性中に前記登録済みユーザが含まれる場合に、ドアアクセス装置に開放コマンドを送信し、前記ドアアクセス装置を開放するように制御するように構成される制御ユニットと、
ドアアクセス認証要求コマンドを受信する受信ユニットと、
前記ドアアクセス認証要求コマンドを受信したかどうかを判定するようにさらに構成される前記判定ユニットと、
前記ドアアクセス認証要求コマンドを認証するように構成される認証ユニットと、
前記ドアアクセス認証要求コマンドを受信したことに応じて、前記ドアアクセス認証要求コマンド認証に通った場合に、前記ドアアクセス装置に開放コマンドを送信し、前記ドアアクセス装置を開放するように制御するようにさらに構成される前記制御ユニットと、を含むドアアクセス制御装置。
【請求項１１】
前記ドアアクセス認証要求コマンド認証に通らない場合に、前記ドアアクセス装置にドアベルトリガーインターフェイス表示コマンドを送信するように構成される送信ユニット、及び／又は
警報提示を送信するように構成される警報ユニットを更に含む請求項１０に記載のドアアクセス制御装置。
【請求項１２】
前記複数の顔画像に対応する属性中に前記登録済みユーザが含まれ、且つ前記登録済みユーザの数が前記顔画像の数より小さい場合に、警報提示を送信するように構成される警報ユニットを更に含む請求項１０に記載のドアアクセス制御装置。
【請求項１３】
前記シーン画像中に１つの顔画像が含まれる状況に応じて、前記顔画像の属性が前記登録済みユーザであるかどうかを判定するようにさらに構成される前記判定ユニットと、
前記顔画像の属性が前記登録済みユーザである場合に、前記ドアアクセス装置に前記開放コマンドを送信し、前記ドアアクセス装置を開放するように制御するようにさらに構成される前記制御ユニットと、
前記ドアアクセス認証要求コマンドを受信したかどうかを判定するようにさらに構成される前記判定ユニットと、
前記ドアアクセス認証要求コマンドを受信したことに応じて、前記ドアアクセス認証要求コマンド認証に通った場合に、前記ドアアクセス装置に開放コマンドを送信し、前記ドアアクセス装置を開放するように制御するようにさらに構成される前記制御ユニットと、を含む請求項１０に記載のドアアクセス制御装置。
【請求項１４】
前記ドアアクセス認証要求コマンド認証に通らない場合に、前記ドアアクセス装置にドアベルトリガーインターフェイス表示コマンドを送信するように構成される送信ユニット、及び／又は
警報提示を送信するように構成される警報ユニットを更に含む請求項１３に記載のドアアクセス制御装置。
【請求項１５】
前記複数の顔画像がそれぞれ属する訪問者の間の身体動作を識別するようにさらに構成される前記識別ユニットと、
前記身体動作に応じて前記複数の顔画像にグループ属性をマーキングするように構成され、前記グループ属性が、前記複数の顔がそれぞれ属する訪問者の間の対人関係を表すために用いられる組分けユニットと、を含む請求項１０に記載のドアアクセス制御装置。
【請求項１６】
第１の顔画像に対する訪問権限変更情報を受信するようにさらに構成され、前記訪問権限変更情報が訪問場所、訪問回数及び／又は訪問時間を含む受信ユニットと、
前記訪問権限変更情報に基づいて前記第１の顔画像に対応する訪問権限を変更するようにさらに構成される変更ユニットとを、更に含む請求項１０に記載のドアアクセス制御装置。
【請求項１７】
前記ドアアクセス装置に開放コマンドを送信し、前記ドアアクセス装置を開放するように制御する場合に、それぞれの顔画像に対応する、通過時間、地点及び前記顔画像中の少なくとも１つを含む通過記録を生成するように構成される記録ユニットを更に含む請求項１０〜１６のいずれか１項に記載のドアアクセス制御装置。
【請求項１８】
前記並列識別方式は、
複数の顔画像に対して、事前に設定された時間順で交替して各顔画像の識別を行う時間上の並列識別方式、又は、複数の顔画像に対して、顔特徴抽出、顔マッチイングという順で交替して各顔画像の識別を行うステップ上の並列識別方式、を含む、
請求項１０に記載のドアアクセス制御装置。
【請求項１９】
プロセッサー、通信インタフェース、及びメモリを含み、前記プロセッサー、通信インタフェースおよびメモリが相互に接続され、
前記通信インタフェースが他の電子デバイスとデータを交換するように構成され、
前記メモリがプログラムコマンドを含むコンピュータプログラムを記憶するように構成され、
前記プロセッサーが前記プログラムコマンドを呼び出し、請求項１〜９のいずれか１項に記載のドアアクセス制御方法を実行するように構成されるドアアクセス制御装置。
【請求項２０】
ドアアクセス制御装置及びドアアクセス装置を含み、
前記ドアアクセス制御装置が、前記ドアアクセス装置の開閉を制御し、訪問者の通過を制限するように構成され、
前記ドアアクセス制御装置が、さらに請求項１〜９のいずれか１項に記載のドアアクセス制御方法を実行するように構成されるドアアクセスシステム。
【請求項２１】
プログラムコマンドを含むコンピュータプログラムが記憶され、プロセッサーによって前記プログラムコマンドを実行することにより、請求項１〜９のいずれか１項に記載のドアアクセス制御方法を実行するために用いられるコンピュータ可読記憶媒体。
【請求項２２】
コンピュータプログラムが記憶されたコンピュータ可読記憶媒体を含み、前記コンピュータプログラムによってコンピュータに請求項１〜９のいずれか１項に記載のドアアクセス制御方法を実行させることができるコンピュータプログラム製品。
【発明の詳細な説明】
【技術分野】
【０００１】
（関連出願の相互参照）
本願は、出願番号２０１８１０７４９５６２．４、出願日２０１８年０７月０９日の中国特許出願に基づいて提案され、且つ該中国特許出願の優先権を主張し、該中国特許出願の全ての内容は引用により参考として本願に組み込まれる。
【０００２】
本発明は、セキュリティの技術分野に関し、特にドアアクセス制御方法、ドアアクセス制御装置、システム及び記憶媒体に関するが、これらに限定されない。
【背景技術】
【０００３】
セキュリティ強化、身元の手動検証の圧力を緩和するために、オフィスまたはビルでは、通常、勤怠管理及び人員出入りの制限のためのドアアクセスシステムが使用されている。
【０００４】
関連技術では、アクセスカードによるカード認証が簡単で迅速であるが、ドアアクセスカードが紛失したり、他人に転移されやすいので、この方法は、真実の勤怠状況を得るのに良くなく、セキュリティ維持にも不利である。カード認証方式以外に、指紋認証も良く使われる方式であるが、指紋認証の実際の応用で、指紋を取得するための装置の表面は汚れやすく、しかも指紋が薄い人も少なくないため、指紋認証でより長い時間をかかり、エラー率も大幅に高くなり、さらに朝のピーク時に人々の流れをブロックする。また、外来の訪問者がいる場合に、訪問権限を有する従業員が主動的にドアを開けて外来者を出入りさせるのが一般的である。
【０００５】
要するに、カード認証も指紋認証も、そのドアアクセス制御方法の効率が低く、且つ外部人員の管理にも役立たない。
【発明の概要】
【０００６】
これに鑑み、本発明の実施例は、ドアアクセス制御の効率及び外部人員の管理を向上させることができるドアアクセス制御方法、ドアアクセス制御装置、システム及び記憶媒体を提供することが期待される。
【０００７】
第１の態様では、本実施例は、
シーン画像を収集し、前記シーン画像中の１つまたは複数の顔画像を識別することと、
登録済みユーザ及び未登録ユーザを含む前記顔画像の属性を確定することと、
前記シーン画像中に複数の顔画像が含まれる状況に応じて、前記複数の顔画像に対応する属性中に前記登録済みユーザが含まれるかどうかを判定することと、
前記判定の結果が肯定的である場合に、ドアアクセス装置に開放コマンドを送信し、前記ドアアクセス装置を開放するように制御することと、
前記判定の結果が否定的である場合に、ドアアクセス認証要求コマンドを受信したかどうかを判定することと、
前記ドアアクセス認証要求コマンドを受信したことに応じて、前記ドアアクセス認証要求コマンド認証に通った場合に、前記ドアアクセス装置に前記開放コマンドを送信し、前記ドアアクセス装置を開放するように制御することと、を含むドアアクセス制御方法を提供する。
【０００８】
前記の解決策では、前記ドアアクセス認証要求コマンド認証に通らない場合に、前記ドアアクセス装置にドアベルトリガーインターフェイス表示コマンドを送信し、及び／又は警報提示を送信する。
【０００９】
前記の解決策では、前記複数の顔画像に対応する属性中に前記登録済みユーザが含まれ、且つ前記登録済みユーザの数が前記顔画像の数より小さい場合に、警報提示を送信する。
【００１０】
前記の解決策では、前記シーン画像中に１つの顔画像が含まれる状況に応じて、前記顔画像の属性が前記登録済みユーザであるかどうかを判定し、
前記判定の結果が肯定的である場合に、前記ドアアクセス装置に前記開放コマンドを送信し、前記ドアアクセス装置を開放するように制御して、前記判定の結果が否定的である場合に、前記ドアアクセス認証要求コマンドを受信したかどうかを判定し、
前記ドアアクセス認証要求コマンドを受信したことに応じて、前記ドアアクセス認証要求コマンド認証に通った場合に、前記ドアアクセス装置に前記開放コマンドを送信し、前記ドアアクセス装置を開放するように制御する。
【００１１】
前記の解決策では、前記ドアアクセス認証要求コマンド認証に通らない場合に、前記ドアアクセス装置にドアベルトリガーインターフェイス表示コマンドを送信し、及び／又は
警報提示を送信する。
【００１２】
前記の解決策では、前記複数の顔画像がそれぞれ属する訪問者の間の身体動作を識別し、
前記身体動作に応じて前記複数の顔画像にグループ属性をマーキングすることであって、前記グループ属性が、前記複数の顔がそれぞれ属する訪問者の間の対人関係を表すために用いられる。
【００１３】
前記の解決策では、第１の顔画像に対する訪問権限変更情報を受信し、前記訪問権限が訪問場所、訪問回数及び／又は訪問時間を含み、
前記訪問権限変更情報に基づいて前記第１の顔画像に対応する訪問権限を変更する。
【００１４】
前記の解決策では、前記ドアアクセス装置に前記開放コマンドを送信し、前記ドアアクセス装置を開放するように制御する場合に、それぞれの顔画像に対応する、通過時間、地点及び前記顔画像中の少なくとも１つを含む通過記録を生成する。
【００１５】
第２の態様では、本実施例は、前記第１の態様の方法を実行するように構成されるユニットを含むドアアクセス制御装置を提供し、該ドアアクセス制御装置は、
シーン画像を収集するように構成される収集ユニットと、
前記シーン画像中の１つまたは複数の顔画像を識別するように構成される識別ユニットと、
登録済みユーザ及び未登録ユーザを含む前記顔画像の属性を確定するように構成される確定ユニットと、
前記シーン画像中に複数の顔画像が含まれる状況に応じて、前記複数の顔画像に対応する属性中に前記登録済みユーザが含まれるかどうかを判定するように構成される判定ユニットと、
前記複数の顔画像に対応する属性中に前記登録済みユーザが含まれる場合に、ドアアクセス装置に開放コマンドを送信し、前記ドアアクセス装置を開放するように制御するように構成される制御ユニットと、
ドアアクセス認証要求コマンドを受信する受信ユニットと、
前記ドアアクセス認証要求コマンドを受信したかどうかを判定するように構成される前記判定ユニットと、
前記ドアアクセス認証要求コマンドを認証するように構成される認証ユニットと、
前記ドアアクセス認証要求コマンドを受信したことに応じて、前記ドアアクセス認証要求コマンド認証に通った場合に、前記ドアアクセス装置に開放コマンドを送信し、前記ドアアクセス装置を開放するように制御するように構成される前記制御ユニットと、を含む。
【００１６】
前記の解決策では、前記ドアアクセス認証要求コマンド認証に通らない場合に、前記ドアアクセス装置にドアベルトリガーインターフェイス表示コマンドを送信するように構成される送信ユニット、及び／又は
警報提示を送信するように構成される警報ユニットを更に含む。
【００１７】
前記の解決策では、警報ユニットは、前記複数の顔画像に対応する属性中に前記登録済みユーザが含まれ、且つ前記登録済みユーザの数が前記顔画像の数より小さい場合に、警報提示を送信するように構成される。
【００１８】
前記の解決策では、前記判定ユニットは、前記シーン画像中に１つの顔画像が含まれる状況に応じて、前記顔画像の属性が前記登録済みユーザであるかどうかを判定するように構成され、
前記制御ユニットは、前記顔画像の属性が前記登録済みユーザである場合に、前記ドアアクセス装置に前記開放コマンドを送信し、前記ドアアクセス装置を開放するように制御するように構成され、
前記判定ユニットは、前記ドアアクセス認証要求コマンドを受信したかどうかを判定するように構成され、
前記制御ユニットは、前記ドアアクセス認証要求コマンドを受信したことに応じて、前記ドアアクセス認証要求コマンド認証に通った場合に、前記ドアアクセス装置に開放コマンドを送信し、前記ドアアクセス装置を開放するように制御するように構成される。
【００１９】
前記の解決策では、送信ユニットは、前記ドアアクセス認証要求コマンド認証に通らない場合に、前記ドアアクセス装置にドアベルトリガーインターフェイス表示コマンドを送信するように構成され、及び／又は
警報ユニットは、警報提示を送信するように構成される。
【００２０】
前記の解決策では、前記識別ユニットは、前記複数の顔画像がそれぞれ属する訪問者の間の身体動作を識別するように構成され、
組分けユニットは、前記身体動作に応じて前記複数の顔画像にグループ属性をマーキングするように構成され、前記グループ属性は、前記複数の顔がそれぞれ属する訪問者の間の対人関係を表すために用いられる。
【００２１】
前記の解決策では、受信ユニットは、第１の顔画像に対する訪問権限変更情報を受信するように構成され、前記訪問権限変更情報には訪問場所、訪問回数及び／又は訪問時間が含まれ、
変更ユニットは、前記訪問権限変更情報に基づいて前記第１の顔画像に対応する訪問権限を変更するように構成される。
【００２２】
前記の解決策では、記録ユニットは、前記ドアアクセス装置に開放コマンドを送信し、前記ドアアクセス装置を開放するように制御する場合に、それぞれの顔画像に対応する、通過時間、地点及び前記顔画像中の少なくとも１つを含む通過記録を生成するように構成される。
【００２３】
第３の態様では、本実施例は、ドアアクセス制御装置及びドアアクセス装置を含むドアアクセスシステムを提供し、その内に、前記ドアアクセス制御装置は、前記ドアアクセス装置の開閉を制御し、訪問者の通過を制限するように構成され、一実施例では、前記ドアアクセス制御装置は、前記第１の態様及び任意の実現可能な方式の方法を実行するために用いられる。
【００２４】
第４の態様では、本実施例は、プロセッサー、通信インタフェース及びメモリを含む別のドアアクセス制御装置を提供し、前記プロセッサー、通信インタフェース及びメモリは相互に接続され、その内に、通信インタフェースは、他の電子デバイスとデータを交換するように構成され、前記メモリは、ドアアクセス制御装置による前記方法の実行をサポートするためのプログラムコマンドを含むコンピュータプログラムを記憶するように構成され、前記プロセッサーは、前記プログラムコマンドを呼び出して、前記第１の態様及びその任意の実現可能な方式の方法を実行するように構成される。
【００２５】
第５の態様では、本実施例は、プログラムコマンドを含むコンピュータプログラムが記憶され、プロセッサーによって前記プログラムコマンドを実行する時、前記第１の態様及びその任意可能なドアアクセス制御方法を実現するコンピュータ可読記憶媒体を提供する。
【００２６】
第６の態様では、本実施例は、コンピュータプログラムが記憶されたコンピュータ可読記憶媒体を含み、前記コンピュータプログラムによってコンピュータに前記第１の態様及びその任意可能なドアアクセス制御方法を実行させるコンピュータプログラム製品を提供する。
【００２７】
本願のドアアクセス制御装置は、シーン画像を収集した後、迅速にシーン画像中の１つまたは複数の顔を識別できるので、ドアアクセス装置を制御して訪問者を順次通過させる前に、シーン画像中の顔を識別し、ドアアクセス装置の前の殆ど又は全部の人を識別することができる。ドアアクセス制御装置は登録済みユーザを識別した場合に、ドアアクセス装置を開放するように制御して訪問者を通過させるが、登録済みユーザが識別できていない場合に、ドアアクセス装置を開放せず訪問者の認証情報すなわちドアアクセス認証要求コマンドを受信し、その後、該ドアアクセス認証要求コマンド認証に通った後、ドアアクセス装置を開放するように制御する。従って、本実施例は、訪問者が１つずつドアアクセス装置を通過する前に迅速に複数の顔を識別でき、これにより、登録済みユーザの認証から通過までの時間を大幅に短縮でき、未登録ユーザについては、正しいドアアクセス認証要求コマンドが入力された場合にのみ通過できるので、効果的に未登録ユーザの通過を制限し、そして手動ではなく機械的な方式により、未登録ユーザの通過の管理効率も向上する。要するに、本願は、訪問者の身元認証時間を短縮し、且つ未登録ユーザの通過の管理効率を向上させるため、ドアアクセス制御の効率を大幅に向上させる。
【図面の簡単な説明】
【００２８】
【図１】本実施例によって提供されるドアアクセス制御方法の模式フローチャートである。
【図２】本実施例によって提供される別のドアアクセス制御方法の模式フローチャートである。
【図３】本実施例によって提供される別のドアアクセス制御方法の模式フローチャートである。
【図４】本実施例によって提供されるドアアクセスシステムの構造的なブロック図である。
【図５】本実施例によって提供されるドアアクセス制御装置の模式的なブロック図である。
【図６】本実施例によって提供されるドアアクセス制御装置の構造的なブロック図である。
【発明を実施するための形態】
【００２９】
以下、本実施例中の図面を参照して、本実施例中の技術的解決策を説明する。
【００３０】
本明細書及び特許請求の範囲で使用される場合に、「含む」、「含有」という用語は、特徴、全体、ステップ、操作、要素及び／又はコンポーネントを表示するために用いられ、１つまたは複数の他の特徴、全体、ステップ、操作、要素、コンポーネント及び／又はその組合わせの存在または追加も可能である。
【００３１】
本願の明細書で使用される用語は特定の実施例を説明するために用いられるが、本願を制限するものではない。本願の明細書及び特許請求の範囲で使用されるように、そうでないと断らない限り、単数形式の「一」、「１つの」及「該」は複数形式を含む。
【００３２】
さらに、本願の明細書及び特許請求の範囲で使用される用語「及び／又は」とは関連する列挙された項の１つまたは複数の組合わせ及び全ての可能な組合わせを指し、且つこれらの組合わせを含む。
【００３３】
本明細書及び特許請求の範囲で使用されるように、用語「もし」は文脈に応じて「…時に」、「一旦」、「確定に応じて」または「検出に応じて」などと解釈できる。同様に、「確定すると」、「［記述する条件またはイベント］を検出すると」という語句は、文脈で「一旦確定した」或「確定したに応じて」、「［記述条件またはイベント］を一旦検出した」または「［記述条件またはイベント］を検出した」と解釈できる。
【００３４】
実際の応用で、本実施例で説明するドアアクセス制御装置は、タッチセンシティブ表面（例えば、タッチパネルディスプレイー及び／又はタッチパッド）を有する端末機器及びサーバを含むが、これらに限定されない。本実施例で説明されるドアアクセス装置は、タッチセンシティブ表面（例えば、タッチパネルディスプレイー及び／又はタッチパッド）を有する端末機器を含むが、これに限定されない。ドアアクセス制御装置とドアアクセス装置の間にデータ交換が行われ、例えば、ドアアクセス制御装置は、ドアアクセス装置から送信したデータを受信して処理して、ドアアクセス装置へ制御コマンドを送信し、ドアアクセス装置に外部データ取得、開放及び／又は閉鎖などの操作を実行させる。その内に、端末機器は、携帯電話、ラップトップコンピューター、タブレットコンピューターなどの機器であってもよく、サーバはタッチセンシティブ表面（例えば、タッチパネルディスプレイー及び／又はタッチパッド）を有する画像処理装置及びデスクトップコンピュータなどが含まれる。また、ドアアクセス制御装置及び／又はドアアクセス制御装置は、物理キーボード、マウス及び／又はコントロールバーなどの１つまたは複数の他の物理ユーザインタフェース機器も含み得ることを理解されたい。
【００３５】
人々の流れを制御し、セキュリティ制御が必要とする場所では、一般的にドアアクセスシステムは、出勤及び人員通過の制限に用いられ、セキュリティを強化し、身元の手動検証の圧力を緩和する。
【００３６】
従来の認証方式（例えばドアアクセスカード認証及び指紋認証）では、データの正確さが高くないか、精度が高くない。また、見知らぬ訪問者がいる時に、通常は紙の登録方法により見知らぬ訪問者の情報を記録し、そして訪問権限を有する人々または従業員に主動的にドアを開けさせて出入りさせ、これは効率が低く、見知らぬ訪問者の身元を有効に検証できず、且つ見知らぬ訪問者の訪問に対する効果的な監視及び制御はない。従って、従来のドアアクセス制御方法は効率が低く、見知らぬ訪問者の管理にも役立たない。
【００３７】
本実施例は、前記の問題を解決するためのドアアクセス制御方法を提供し、該ドアアクセス制御装置は、撮像装置を制御して訪問者を含むシーン画像を撮像し、その後、撮像装置からのシーン画像を受信し、このようにドアアクセス制御装置はシーン画像を収集し、そしてドアアクセス制御装置は、迅速にシーン画像中の１つまたは複数の顔を識別する。そうすると、ドアアクセス制御装置は、ドアアクセス装置が開放コマンドを送信する前にシーン画像中の顔を識別することにより、ドアアクセス装置の前の殆どまたは全部の人を識別することができる。そして、ドアアクセス制御装置は複数の訪問者を識別し、該複数の訪問者に登録済みユーザが含まれる場合に、ドアアクセス装置に開放コマンドを送信し、ドアアクセス装置に該複数の訪問者を通過させ、該複数の訪問者中に登録済みユーザが含まない場合に、該複数の訪問者中のいずれか１つの訪問者の身元認証のためのドアアクセス認証要求コマンドを受信し、その後、該ドアアクセス認証要求コマンド認証に通った後に、ドアアクセス装置を開放するように制御する。そうすると、本実施例は、複数の訪問者が１つずつドアアクセス装置を通過する前に迅速に該複数の訪問者を識別できるので、訪問者の身元認証時間を大幅に短縮でき、且つ迅速に登録済みユーザを含む複数の訪問者を通過させるから、本実施例は、未登録ユーザの通過効率を向上させる。しかしながら、登録済みユーザ含まない複数の訪問者については、該複数の訪問者中のいずれか１つの訪問者が入力したドアアクセス認証要求コマンド認証に通った場合にのみ、該複数の訪問者が通過できるので、本実施例は効果的に未登録ユーザの通過を制限することができる。前記の実施例の方法は、複数の訪問者の身元認証時間を短縮し、未登録ユーザの通過の管理効率を向上させる。このように、本実施例は、ドアアクセス制御の効率を大幅に向上させる。
【００３８】
図１を参照して、図１は本実施例で開示したドアアクセス制御方法の模式フローチャートであり、図に示される方法は、以下のステップを含む。
【００３９】
１０１において、シーン画像を収集し、シーン画像中の１つまたは複数の顔画像を識別する。
【００４０】
本実施例では、ドアアクセス制御装置は撮像装置を制御してシーン画像を収集し、撮像装置がシーン画像を撮像した後、該シーン画像をドアアクセス制御装置に送信し、その後、ドアアクセス制御装置はシーン画像中の少なくとも１つの顔を識別し、シーン画像中に複数の顔が含まれる場合に、ドアアクセス制御装置は同時に複数の顔を識別することができる。その内に、顔識別の方法には、幾何学的特徴に基づく顔識別方法、代数的特徴に基づく顔識別方法、接続メカニズムに基づく顔識別方法、３次元データに基づく顔識別方法、及び／又はニューラルネットワークに基づく顔識別方法等が含まれる。なお、シーン画像は、撮像装置が撮像したドアアクセス装置の所定範囲内の訪問者を含む画像である。本実施例では、撮像装置は、ビデオカメラ、カメラ及びデジタルカメラ中の少なくとも１つを含むが、これらに限定されない。シーン画像中の複数の顔を並列識別することにより、識別時間を短縮し、ドアアクセス制御の効率を向上させる。
【００４１】
なお、ドアアクセス制御装置は、撮像装置を制御して固定位置でドアアクセス装置の周囲の所定範囲内の領域を撮像してシーン画像を取得でき、または撮像装置のレンズの回転を制御し、または焦点距離をズームしてホール内の人物集合がいる領域をキャプチャでき、そして該人物集合が集まる領域を撮像してシーン画像を取得する。撮像装置は、ドアアクセス制御装置に含まれてもよく他の端末機器に含まれてもよく、または外部装置であってもよいが、本実施例では限定されない。その内に、図５に示すドアアクセスシステムはドアアクセス制御装置及びドアアクセス装置を含み、ドアアクセス装置は訪問者の出入を制限して訪問者を１つずつ通過させる装置であり、ドアアクセス制御装置はドアアクセス装置の開閉を制御するための装置である。
【００４２】
なお、前記ドアアクセス制御装置の多顔識別が並列識別によって実現され、実際の応用で、並列識別は、時間上の並列識別またはステップ上の並列識別であってもよい。例えば、前記の並列識別が時間上の並列識別である場合に、ドアアクセス制御装置は時間を複数のタイムスロットに分割し、ドアアクセス制御装置は、２つの顔の識別が完了するまで、奇数番目のタイムスロットで第１の顔を識別し、偶数番目のタイムスロットで第２の顔を識別し、すなわち、第１タイムスロット、第３タイムスロット、第５タイムスロット…第（Ｎ＋１）タイムスロットで第１の顔を識別し、第２タイムスロット、第４タイムスロット、第６タイムスロット…第（Ｎ＋２）タイムスロットで第２の顔を識別し、同様に、前記並列識別がステップ上の並列識別である場合に、ドアアクセス制御装置が取得した画像中に第１の顔及び第２の顔が含まれ、ドアアクセス制御装置は２つの顔の識別が完了するまで、第１の顔の特徴抽出が完了した後、第２の顔に対して特徴抽出を行い、そして第２の顔の特徴抽出が完了した後、第１の顔に対して顔マッチイングなどの操作を行い、多顔画像の並列識別を実現することができる。
【００４３】
１０２において、登録済みユーザ及び未登録ユーザを含む前記顔画像の属性を確定する。
【００４４】
本実施例では、顔画像を識別する時に、シーン画像中に含まれる顔画像とマッチイングする顔画像が顔データベース中に存在する場合に、該顔画像の属性が登録済みユーザであり、そうでない場合に未登録ユーザである。顔画像の属性は登録済みユーザである場合、該顔画像に対応する訪問者は登録済みユーザ、例えば社員及び短期訪問者であることを示し、そうでない場合に、顔画像の属性は未登録ユーザであると、該顔画像に対応する訪問者は未登録ユーザ、例えば見知らぬ訪問者であることを示す。
【００４５】
１０３において、前記シーン画像中に複数の顔画像が含まれる状況に応じて、前記複数の顔画像に対応する属性中に登録済みユーザが含まれるかどうかを判定し、含まれる場合に、ステップ１０４を実行し、そうでない場合に、ステップ１０５を実行する。
【００４６】
実際の応用で、ドアアクセス制御装置は、シーン画像中に複数の顔画像が含まれ、且つ該複数の顔画像中に属性が登録済みユーザである顔画像が含まれたことを識別すると、該複数の顔に対応する人物集合に登録済みユーザが含まれることを示し、複数の顔画像中に属性が登録済みユーザである顔画像が含まない場合に、該人物集合は未登録ユーザであることを示す。
【００４７】
本実施例では、ドアアクセス制御装置はシーン画像を収集した後、迅速にシーン画像中の１つまたは複数の顔を識別できるので、ドアアクセス装置を制御して１つずつ訪問者を通過させる前にシーン画像中の顔を識別することにより、ドアアクセス装置前の殆ど又は全部の人を識別することができる。そして、シーン画像中に複数の訪問者の顔画像が含まれる場合に、該複数の訪問者中に登録済みユーザが含まれるかどうかを検出し、登録済みユーザが含まれると、ドアアクセス制御装置はドアアクセス装置に開放コマンドを送信し、ドアアクセス装置を開放して訪問者を通過させ、複数の訪問者が一緒に通過する場合に、該複数の訪問者が知り合う可能性が高いため、登録済みユーザが検出されると該複数の訪問者を通過させることにより、ドアアクセス制御の効率を向上させることができる。
【００４８】
１０４において、ドアアクセス装置に開放コマンドを送信し、ドアアクセス装置を開放するように制御する。
【００４９】
本実施例では、複数の顔画像中に属性が登録済みユーザである顔画像が含まれる場合に、該複数の顔画像に対応する人物集合に登録済みユーザが含まれることを示し、このような場合に、ドアアクセス制御装置前の複数の訪問者が知り合う可能性が高いため、登録済みユーザが検出される時に該複数の訪問者を通過させることにより、ドアアクセス制御装置はドアアクセス装置に開放コマンドを送信し、ドアアクセス装置を開放にすることができる。
【００５０】
１０５において、ドアアクセス認証要求コマンドを受信したかどうかを判定し、ドアアクセス認証要求コマンドを受信した場合にステップ１０６を実行する。
【００５１】
本実施例では、複数の顔画像は全て属性が未登録ユーザの顔画像である場合に、該複数の顔画像に対応する人物集合は全て未登録ユーザであることを示す。訪問者は全て未登録ユーザである場合に、訪問者がドアアクセス装置上で身元認証のためのドアアクセス認証要求コマンドを入力する必要があり、その後、ドアアクセス制御装置はドアアクセス装置から該ドアアクセス認証要求コマンドを取得し、ドアアクセス認証要求コマンドが正しいことを確認した後、ドアアクセス装置に開放コマンドを送信し、該ドアアクセス装置を開放にして該複数の訪問者を通過させる。
【００５２】
本実施例では、ユーザがドアアクセス装置上でドアアクセス認証要求コマンドを入力し、その後、ドアアクセス装置は該ドアアクセス認証要求コマンドを受信した後、ドアアクセス制御装置に送信し、最終にドアアクセス制御装置は受信したドアアクセス認証要求コマンド認証に通れるかどうかを判定し、認証に通った場合に、ドアアクセス装置に開放コマンドを送信し、ドアアクセス装置を開放にして、その内に、ドアアクセス認証要求コマンドにはドアアクセスパスワードなどが含まれる。
【００５３】
なお、訪問者が未登録ユーザである場合に該訪問者が見知らぬ訪問者であることを示し、社員や登録済みの外部人員ではないため、該訪問者が正当な訪問者であるかどうか、例えば該訪問者にドアアクセスパスワードを入力させるなどの認証が必要である。訪問者はフロントデスクまたは会社のＷｅｂサイトでランダムなパスワードを取得するように予約することができるが、本実施例はこれに限定されない。パスワードが認証された場合に、該訪問者は通過権限を取得し得る。
【００５４】
１０６において、前記ドアアクセス認証要求コマンドを受信したことに応じて、ドアアクセス認証要求コマンド認証に通った場合に、ドアアクセス装置に開放コマンドを送信し、ドアアクセス装置を開放するように制御する。
【００５５】
本実施例では、ドアアクセス制御装置はドアアクセス認証要求コマンドを受信した場合に、ドアアクセス制御装置は該ドアアクセス認証要求コマンドを認証し、認証に通った後、ドアアクセス装置に開放コマンドを送信し、ドアアクセス装置を開放にして未登録ユーザを通過させる。
【００５６】
前記の実施例のドアアクセス制御方法は、シーン画像を収集し、前記シーン画像中の１つまたは複数の顔画像を識別し、登録済みユーザ及び未登録ユーザを含む前記顔画像の属性を確定し、前記シーン画像中に複数の顔画像が含まれる状況に応じて、前記複数の顔画像に対応する属性中に前記登録済みユーザが含まれるかどうかを判定し、含まれる場合に、ドアアクセス装置に開放コマンドを送信し、前記ドアアクセス装置を開放するように制御し、そうでない場合に、ドアアクセス認証要求コマンドを受信したかどうかを判定し、前記ドアアクセス認証要求コマンドを受信したことに応じて、前記ドアアクセス認証要求コマンド認証に通った場合に、前記ドアアクセス装置に前記開放コマンドを送信し、前記ドアアクセス装置を開放するように制御する。前記の方法は、複数の訪問者を識別し、且つ該複数の訪問者中に登録済みユーザが含まれる場合に、該複数の訪問者が１つずつドアアクセス装置の前で身元認証をしてから通過する必要がなく、複数の訪問者中に登録済みユーザが含まない場合に、身元を認証する必要がある。従って、前記の実施例の方法は、多顔識別によって身元認証の時間を短縮し、訪問者の通過効率を向上させる。また、複数の訪問者は全て未登録ユーザである場合に、身元認証により効果的に未登録ユーザの通過を制限し、安全性を向上させる。
【００５７】
いくつかの実施例では、前記ドアアクセス認証要求コマンド認証に通らない場合に、前記ドアアクセス装置にドアベルトリガーインターフェイス表示コマンドを送信し、及び／又は警報提示を送信する。
【００５８】
本実施例では、該複数の訪問者は全て未登録ユーザであり、且つ第１回の身元認証も失敗した場合に、もう１つの身元認証方式で通過チャンスを取得し得、ドアアクセス制御装置は、ドアアクセス装置上にドアベルトリガーインターフェイスを表示するように、ドアアクセス装置にドアベルトリガーインターフェイス表示コマンドを送信し、その後、訪問者は該ドアベルトリガーインターフェイスを介して管理者に連絡でき、訪問者は管理者がその身元を認証された後、通過できるので、本実施例はさらにリモート手動検証方法を提供する。なお、訪問者の第１回の身元認証が失敗した場合に、さらに、ドアアクセス制御装置は、管理者と訪問者に認証失敗結果を提示するように、警報提示を発することもできる。
【００５９】
例えば、訪問者は、ドアベルを押して管理者に連絡し、管理者は訪問者に応答してビデオ及び／又は音声で訪問者の身元を確認した後、ドアアクセス制御装置はドアアクセス装置を開放するように制御する。なお、訪問者の身元認証が失敗した後、ドアアクセス制御装置は、管理者または訪問者に認証失敗結果を提示するように、警報、例えば警告灯の点滅、アラームの鳴動及び／又は警告表示などの提示を発して、管理者の助けを借りて訪問者を通過させ、または訪問者を禁止するなどができる。
【００６０】
いくつかの実施例では、前記方法は、前記複数の顔画像に対応する属性中に前記登録済みユーザが含まれ、且つ前記登録済みユーザの数が前記顔画像の数より小さい場合に、警報提示を送信することを更に含む。
【００６１】
本実施例では、複数の訪問者中に未登録ユーザが含まれると、警報を提示する。ユーザ（管理者）の注意を喚起し、及び／又は訪問者に認証情報を入力し身元認証をすることを促す。本実施例は、第１の実施例に基づき、未登録ユーザの通過の制限を強化する。第１の実施例では、複数の訪問者中に登録済みユーザが含まれると該複数の訪問者を通過させるので、該複数の訪問者中に未登録ユーザが含まれても一緒に通過できるが、このような通過方式がいくつかの問題があり、該複数の訪問者中の未登録ユーザが登録済みユーザを知らなく、未登録ユーザは登録済みユーザ中で混在してひそかに通過する可能性があるが、本実施例では、複数の訪問者は全て登録済みユーザである場合にのみ同時に通過できるので、そうでない場合にドアアクセス制御装置は警報を提示し、管理者の注意を喚起し、及び／又は未登録ユーザに身元認証を促す。
【００６２】
いくつかの実施例では、前記シーン画像中の１つまたは複数の顔画像が全て未登録ユーザである場合に、ドアアクセス制御装置がドアアクセス認証要求コマンドを受信する前に、該方法は、ドアアクセス認証コードを受信し、該ドアアクセス認証コードはドアアクセスパスワードを含むが、これに限定されなく、ドアアクセス認証コードの認証に通った場合に、ドアアクセス装置に開放コマンドを送信し、ドアアクセス装置を開放にする。
【００６３】
本実施例では、前記シーン画像中の１つまたは複数の顔画像が全て未登録ユーザであると確定した時に、前記ドアアクセス装置の対話インターフェースにドアアクセス認証コードの取得方式、およびドアアクセス認証要求コマンドを取得するための入力ボックスを表示し、訪問者がドアアクセス認証要求コマンドを知っている場合、入力ボックス中にドアアクセス認証要求コマンドを直接入力できるが、訪問者がドアアクセス認証要求コマンドを知らない場合、対話インターフェースに表示されるドアアクセス認証コードの取得方式のガイドに従い、ドアアクセス認証コードを取得し、その後、ドアアクセス認証コードをドアアクセス装置に入力して、ドアアクセス装置はドアアクセス認証コードをドアアクセス制御装置に送信し、ドアアクセス制御装置は該ドアアクセス認証コードを受信して正しいと認証された場合に、ドアアクセス装置に開放コマンドを送信し、ドアアクセス装置を開放にする。
【００６４】
訪問者がドアアクセス認証コードを取得する方式として、例えば、訪問者がドアアクセス装置上で携帯電話番号を入力し、ドアアクセス認証コードを含むショートメッセージを受信するか、または訪問者が予設内容（予設文字列）を含む携帯電話ショートメッセージを所定番号へ送信するか、またはドアアクセス装置上の２次元コードをスキャンすることによりドアアクセス認証コードを取得するなどの方式がある。
【００６５】
ドアアクセス認証コードとドアアクセス認証要求コマンドの違いは、ドアアクセス認証コードは訪問者が現場で取得した訪問者の端末機器中の情報に基づく短い即時性の認証情報であるが、ドアアクセス認証要求コマンドは訪問者が事前に公式サイトまたはフロントデスクで取得したユーザの身元ＩＤ（例えば身元認証書番号、運転免許証番号など）に基づき取得した長い時效性の認証情報であり、２つの認証情報も認証された後、無効になり、複数回繰り返して使用することができない。その内に、端末機器中の情報には、端末機器の情報（例えば端末機器の識別情報、電話番号など）または端末機器のアプリケーションプログラムにログインしたアカウントの情報（例えばドアアクセス装置上の２次元コードをスキャンするためのアプリケーションプログラム中にログインしたアカウントの情報）などが含まれる。
【００６６】
いくつかの実施例では、前記の前記シーン画像中の複数の顔画像を識別した後、該複数の顔画像それぞれが属する訪問者の間の身体動作を識別することと、身体動作に基づいて該複数の顔画像にグループ属性をマーキングすることであって、前記グループ属性が、複数の顔がそれぞれ属する訪問者の間の対人関係を表すために用いられることと、を更に含む。
【００６７】
本願の実施例では、シーン画像中に複数の人物画像が含まれる場合に、該複数の顔画像にそれぞれ対応する訪問者の間の身体動作を識別でき、その後、身体動作から訪問者間の関係を推定でき、例えば身体動作に手つなぎ、握手及び肩振りなどが含まれ、２人の訪問者間に握手及び／又は肩振る場合に、２人の訪問者間に同僚関係があると推定でき、同様に、２人の訪問者が手をつなぐと、２人の訪問者間に恋人関係があると推定できる。ドアアクセス制御装置は、訪問者間の異なる身体動作を識別することにより訪問者を異なるグループに分類することができる。この方法により、単純な対人ネットワークを構築し、訪問者のより多くの情報を取得して、必要に応じて該対人ネットワークを使用することができる。第１の顔画像に対する訪問権限変更情報を受信し、前記訪問権限変更情報には訪問場所、訪問回数及び／又は訪問時間が含まれ、前記訪問権限変更情報に基づいて前記第１の顔画像に対応する訪問権限を変更する。
【００６８】
本実施例では、ユーザ（管理者）は、異なる訪問者（即ち、任意の訪問者の顔画像である第１の顔画像）に対して異なる訪問権限を設定でき、訪問者は訪問権限のある許可期間で、許可されている訪問場所に対して限られている回数でしか訪問できない。例えば、訪問者の訪問権限により、訪問者は９階の会社への訪問権限を３つしか持たず、且つ訪問時間は午後２時から午後６時までの期間に限定される。
【００６９】
いくつかの実施例では、前記方法は、前記ドアアクセス装置に前記開放コマンドを送信し、前記ドアアクセス装置を開放するように制御する場合に、それぞれの顔画像に対応する通過記録を生成することを更に含み、その内に、前記通過記録には通過時間、地点及び前記顔画像中の少なくとも１つが含まれる。
【００７０】
本実施例では、ドアアクセス制御装置はドアアクセス装置に開放コマンドを送信し、ドアアクセス装置を開放するように制御する同時に、通過する訪問者の通過記録を記録する、即ち異なる顔画像に対して対応する通過記録を生成する必要がある。ユーザによる後続の問い合わせ及び追跡分析のために、それぞれの顔画像に対応する通過記録を生成する。その内に、前記通過記録には通過時間、地点及び顔画像中の少なくとも１つが含まれる。
【００７１】
図２を参照して、図２は本実施例で開示した別のドアアクセス制御方法の模式フローチャートであり、該方法はシーン画像中に顔画像が１つだけ含まる時のシーンに応用され、図に示される方法は、以下のステップを含む。
【００７２】
２０１において、シーン画像を収集し、シーン画像中の１つまたは複数の顔画像を識別する。
【００７３】
２０２において、登録済みユーザ及び未登録ユーザを含む前記顔画像の属性を確定する。
【００７４】
２０３において、シーン画像中に顔画像が１つだけ含まれる場合に、該顔画像の属性が登録済みユーザであるかどうかを判定し、前記判定の結果が肯定的である場合にステップ２０５を実行し、そうでない場合にステップ２０４を実行する。
【００７５】
本実施例では、シーン画像中に顔画像が１つだけ含まれる場合に、ドアアクセス制御装置は、該顔画像の属性が登録済みユーザであるかどうかを判定し、即ち、該顔画像が属する訪問者が登録済みユーザであるかどうかを判定し、前記判定の結果が肯定的である場合にステップ２０５を実行し、そうでない場合にステップ２０４を実行する。
【００７６】
２０４において、ドアアクセス認証要求コマンドを受信し、ドアアクセス認証要求コマンド認証に通れるかどうかを判定し、前記判定の結果が肯定的である場合にステップ２０５を実行し、そうでない場合にステップ２０６を実行する。
【００７７】
本実施例では、前記シーン画像中に顔画像が１つだけ含まれ、且つ該１つの顔画像の属性が未登録ユーザである場合に、該顔画像が属する訪問者は未登録ユーザであることを示し、さらなる身元認証が必要とする。該ドアアクセス認証コマンドをドアアクセス制御装置に送信し、その後、ドアアクセス制御装置は、該ドアアクセス認証要求コマンドを受信し、且つ該ドアアクセス認証要求コマンドが正しく認証された後、ステップ２０５を実行し、そうでない場合にステップ２０６を実行する。
【００７８】
２０５において、ドアアクセス装置に開放コマンドを送信し、該ドアアクセス装置を開放するように制御する。
【００７９】
本実施例では、前記シーン画像中に顔画像が１つだけ含まれ、且つ該１つの顔画像の属性が登録済みユーザである場合に、または該１つの顔画像に対応する顔画像の属性が未登録ユーザであるが、ドアアクセス制御装置はドアアクセス認証要求コマンドを受信し、且つ該ドアアクセス認証要求コマンドが互角と認証された場合に、ドアアクセス制御装置はドアアクセス装置に開放コマンドを送信し、該開放コマンドがドアアクセス装置の開放を制御するために用いられ、ドアアクセス装置は該開放コマンドを受信した後に開放し、前記顔画像が属する訪問者を通過させる。ドアアクセス装置は、登録済みの訪問者、または未登録でありながら身元認証に通れる見知らぬ訪問者を通過させる。
【００８０】
２０６において、ドアアクセス装置にドアベルトリガーインターフェイス表示コマンドを送信し、及び／又は警報提示を送信する。
【００８１】
本願の実施例では、前記ドアアクセス制御装置はドアアクセス認証要求コマンドを受信していない、またはドアアクセス認証要求コマンドを受信したが、ドアアクセス認証要求コマンド認証に通らない場合に、ドアアクセス制御装置は、例えば警告灯点滅、アラームの鳴動及び／又は警告表示などの警報提示を発し、該警報によって前記未登録ユーザに再度入力を促し、前記未登録ユーザに認証失敗結果を提示またはセキュリティ人員の注意を喚起し、なお、前記未登録ユーザにもう１回の身元認証チャンスを提供し、実際の応用で、ドアアクセス制御装置はドアアクセス装置にドアベルトリガーインターフェイス表示コマンドを送信し、その後、ドアアクセス装置はドアベルトリガーインターフェイス表示コマンドを受信した後、ドアベルをトリガーするためのアイコンを含むドアベルトリガーインターフェイスを表示し、訪問者は該アイコンをクリックするなどの操作をして、管理者とビデオまたは音声対話を実行することにより、一実施例で訪問者の身元が認証され得、このように管理者のリモート操作によって未登録ユーザを通過させ、ドアアクセス制御の効率を向上させる。
【００８２】
先の実施例と比較して、本実施例は、主にシーン画像中に顔画像が１つだけ含まれる場合に、該顔画像の属性が登録済みユーザであれば、該顔画像が属する訪問者は登録済みユーザであることを示し、ドアアクセス制御装置はドアアクセス装置を開放するように制御する。しかしながら、該顔画像の属性が未登録ユーザであれば、該顔画像が属する訪問者は未登録ユーザであることを示し、該未登録ユーザがドアアクセス認証要求コマンドを入力して身元認証を行い、該未登録ユーザが正当な見知らぬ訪問者であるかどうかを認証する必要があり、認証され得ると該未登録ユーザを通過させ、認証されなかったと警報を提示する、またはドアベルトリガーインターフェイスを表示することにより、ドアアクセス制御の効率を向上させる。
【００８３】
図３を参照して、図３は本実施例で開示した別のドアアクセス制御方法の模式フローチャートであり、図に示される方法は、以下のステップを含む。
【００８４】
３０１において、シーン画像を収集し、シーン画像中の１つまたは複数の顔画像を識別する。
【００８５】
本実施例では、ドアアクセス制御装置は撮像装置を制御してシーン画像を収集し、撮像装置がシーン画像を撮像した後、該シーン画像をドアアクセス制御装置に送信して、ドアアクセス制御装置はシーン画像中の少なくとも１つの顔を識別し、シーン画像中に複数の顔が含まれる場合に、ドアアクセス制御装置は複数の顔を同時に識別することができる。その内に、顔識別の方法には、幾何学特徴に基づく顔識別方法、代数的特徴に基づく顔識別方法、接続メカニズムに基づく顔識別方法、３次元データに基づく顔識別方法、及び／又はニューラルネットワークに基づく顔識別方法等が含まれる。なお、シーン画像は、撮像装置が撮像したドアアクセス装置の所定範囲内の訪問者を含む画像である。本実施例では、撮像装置は、ビデオカメラ、カメラ及びデジタルカメラ中の少なくとも１つを含むが、これらに限定されない。シーン画像の取得から特定顔を識別するまでの完全な過程を経って各顔をそれぞれ識別する手法と比較して、シーン画像中の複数の顔を同時に識別することにより識別効率を大幅に向上させ、識別から認証に通るまでの時間を短縮できる。
【００８６】
なお、ドアアクセス制御装置は、撮像装置を制御して固定位置でドアアクセス装置の周囲の所定範囲内の領域を撮像してシーン画像を取得でき、または撮像装置のレンズの回転を制御し、または焦点距離をズームしてホール内の人物集合がいる領域をキャプチャでき、該人物集合が集まる領域を撮像してシーン画像を取得することができる。撮像装置は、ドアアクセス制御装置に含まれてもよく他の端末機器に含まれてもよく、または外部装置であってもよく、本実施例では限定されない。その内に、図５に示すドアアクセスシステムはドアアクセス制御装置及びドアアクセス装置を含み、ドアアクセス装置は訪問者の出入を制限して訪問者を１つずつ通過させる装置であり、ドアアクセス制御装置はドアアクセス装置の開閉を制御するための装置である。
【００８７】
なお、前記ドアアクセス制御装置の多顔識別が並列識別によって実現され、実際の応用で、並列識別は、時間上の並列識別またはステップ上の並列識別であってもよい。例えば、前記の並列識別が時間上の並列識別である場合に、ドアアクセス制御装置は時間を複数のタイムスロットに分割し、ドアアクセス制御装置は、２つの顔の識別が完了するまで、奇数番目のタイムスロットで第１の顔を識別し、偶数番目のタイムスロットで第２の顔を識別し、すなわち、第１タイムスロット、第３タイムスロット、第５タイムスロット…第（Ｎ＋１）タイムスロットで第１の顔を識別し、第２タイムスロット、第４タイムスロット、第６タイムスロット…第（Ｎ＋２）タイムスロットで第２の顔を識別し、同様に、前記並列識別がステップ上の並列識別である場合に、ドアアクセス制御装置が取得した画像中に第１の顔及び第２の顔が含まれ、ドアアクセス制御装置は２つの顔の識別が完了するまで、第１の顔の特徴抽出が完了した後、第２の顔に対して特徴抽出を行い、そして第２の顔の特徴抽出が完了した後、第１の顔に対して顔マッチイングなどの操作を行い、多顔画像の並列識別を実現することができる。
【００８８】
実際に実施する時に、前記シーン画像中の１つまたは複数の顔画像を検出し、前記１つまたは複数の顔画像の特徴データをそれぞれ抽出し、前記１つまたは複数の顔画像の特徴データのそれぞれを、顔データベースの特徴テンプレートとマッチイングする。
【００８９】
本実施例では、前記顔識別は一般に、顔画像の検出、特徴データの抽出、及び顔データベースのマッチイングを含む。例えば、前記の前記シーン画像中の１つまたは複数の顔画像を検出することは、シーン画像に対して顔検出を行い、即ち、シーン画像のヒストグラム特徴、色特徴、テンプレート特徴、構造特徴またはＨａａｒ特徴を利用してシーン画像を表示し、その後、シーン画像をカスケード分類器に入力し、カスケード分類器を利用してシーン画像中の各ブロックを分類し、シーン画像のある領域がカスケード分類器を通過すると、該領域を顔画像として判別する。なお、前記の前記１つまたは複数の顔画像の特徴データをそれぞれ抽出することは、顔画像のビジョン特徴、画像統計的特徴、顔画像変換係数特徴、または顔画像代数的特徴などを抽出することを指す。顔特徴の抽出は顔の特徴付けとも呼ばれ、顔器官の形状特徴及び顔器官間の距離特性に基づき顔分類に寄与する特徴データを取得する、知識に基づく特徴付け方法など、顔に対して特徴モデリングを行う過程を指し、その内に、特徴データには、特徴点間のユークリッド距離、曲率及び角度などが含まれる。
【００９０】
なお、前記の前記１つまたは複数の顔画像の特徴データのそれぞれを顔データベースの特徴テンプレートとマッチイングすることは、識別する顔特徴と既存の顔特徴テンプレートを比較し、類似度に従い顔画像が顔データベース中の既存の顔に類似するかどうかを認識することを指す。実際の応用で、前記の抽出された顔画像の特徴データと顔データベースに記憶された特徴テンプレートとを検索してマッチイングすることにより、顔画像と顔データベース中の顔の間の類似度を得て、類似度が予設閾値を超えた時に、顔データベース中の該顔画像との類似度が予設閾値を超えた顔の情報を出力する。
【００９１】
一実施例では、前記の前記シーン画像中の１つまたは複数の顔画像を検出した後、前記の前記１つまたは複数の顔画像の特徴データをそれぞれ抽出する前に、前記１つまたは複数の顔画像に対して前処理を行うことを更に含む。
【００９２】
本実施例では、前記の前記１つまたは複数の顔画像に対して前処理を行うことは、シーン画像に対して諧調補正、ノイズフィルタリングなどの画像前処理を行い、顔画像がより鮮明になるように顔画像の細部を強化及び／又は再構成することを指す。実際の応用で、顔画像の前処理には、光線補償、諧調変換、ヒストグラム均等化、正規化、幾何学補正、フィルタリング及び／又はシャープニングなどが含まれる。
【００９３】
一実施例では、シーン画像が複数の顔画像を含む場合に、該複数の顔画像それぞれが属する訪問者の間の身体動作を識別し、身体動作に基づいて該複数の顔画像にグループ属性をマーキングし、複数の顔がそれぞれ属する訪問者の間の対人関係を表すために用いられる。
【００９４】
本実施例では、シーン画像に複数の人物画像が含まれる場合に、該複数の顔画像にそれぞれ対応する訪問者の間の身体動作を識別でき、その後、身体動作から訪問者間の関係を推定でき、例えば身体動作に手つなぎ、握手及び肩振りなどが含まれ、２人の訪問者に握手及び／又は肩振る場合に、２人の訪問者間に同僚関係があると推定でき、同様に、２人の訪問者が手をつなぐと、２人の訪問者間に恋人関係があると推定できる。ドアアクセス制御装置は、訪問者間の異なる身体動作を識別することにより訪問者を異なるグループに分類することができる。この方法により、単純な対人ネットワークを構築し、訪問者のより多くの情報を取得して、必要に応じて該対人ネットワークを使用することができる。
【００９５】
３０２において、登録済みユーザ及び未登録ユーザを含む前記顔画像の属性を確定する。
【００９６】
本実施例では、顔画像を識別する時に、シーン画像に含まれる顔画像が顔データベースに含まれる顔画像とマッチイングする場合、該顔画像の属性が登録済みユーザであり、そうでない場合に未登録ユーザである。顔画像の属性が登録済みユーザである場合、該顔画像に対応する訪問者が登録済みユーザ、例えば社員及び短期訪問者であることを示し、そうでない場合に、顔画像の属性が未登録ユーザである場合、該顔画像に対応する訪問者が未登録ユーザ、例えば見知らぬ訪問者であることを示す。
【００９７】
３０３において、シーン画像中に複数の顔画像を含まれる場合に、該複数の顔画像に対応する属性中に登録済みユーザが含まれるかどうかを判定し、含まれる場合にステップ３０５を実行し、そうでない場合にステップ３０４を実行する。
【００９８】
実際の応用で、ドアアクセス制御装置はシーン画像中に複数の顔画像を含むことを識別し、且つ該複数の顔画像中に属性が登録済みユーザである顔画像を含むと、該複数の顔に対応する人物集合中に登録済みユーザを含むことを示し、複数の顔画像中に属性が登録済みユーザである顔画像を含まないと、該人物集合が全て未登録ユーザであることを示す。
【００９９】
一実施例では、前記複数の顔画像に対応する属性中に登録済みユーザが含まれ、且つ登録済みユーザの数が顔画像の数より小さい場合に、警報提示を送信する。
【０１００】
本実施例では、シーン画像は複数の顔画像を含み、且つ該複数の顔画像中の属性が登録済みユーザである顔画像の数が顔画像の数より小さい場合に、複数の顔画像中に属性が登録済みユーザである顔画像が含まれるが、属性が未登録ユーザである顔画像も含まれることを示す。即ち、該複数の顔画像に対応する人物集合中に未登録ユーザが含まれることを示し、セキュリティを強化するために、ドアアクセス制御装置は、管理者に該人物集合中の未登録ユーザに注意を向けるよう促す警報提示を発し、また、未登録ユーザに身元認証後のみ通過することを促す。
【０１０１】
３０４において、ドアアクセス認証要求コマンドを受信し、且つドアアクセス認証要求コマンド認証に通れるかどうかを判定し、前記判定の結果が肯定的である場合に、ステップ３０５を実行し、そうでない場合に、ステップ３０７を実行する。
【０１０２】
本実施例では、複数の顔画像は全て属性が未登録ユーザである顔画像である場合に、該複数の顔画像に対応する人物集合が全て未登録ユーザであることを示し、該人物集合が通過したい場合に、認証が必要であり、つまり、ドアアクセス装置にドアアクセス認証要求コマンドを入力し、そしてドアアクセス装置は該ドアアクセス認証要求コマンドを受信した後、ドアアクセス制御装置に送信し、最終に、ドアアクセス制御装置は、受信したドアアクセス認証要求コマンドが正しいか否かを判断して訪問者が認証に通れるかどうかを判定し、認証に通った場合にステップ３０５を実行し、そうでない場合にステップ３０７を実行し、その内に、ドアアクセス認証要求コマンドにはドアアクセスパスワードなどが含まれる。
【０１０３】
なお、訪問者が未登録ユーザである場合に該訪問者が見知らぬ訪問者であることを示し、社員や登録済みの外部人員ではないため、該訪問者が正当な訪問者であるかどうか、例えば該訪問者にドアアクセスパスワードを入力させるなどの認証が必要であり、訪問者はフロントデスクまたは会社のＷｅｂサイトでランダムなパスワードを取得するように予約することができるが、本実施例はこれに限定されない。パスワードが認証された場合に、該訪問者は通過権限を取得することができる。
【０１０４】
３０５において、ドアアクセス装置に開放コマンドを送信し、ドアアクセス装置を開放するように制御する。
【０１０５】
本実施例では、複数の顔画像中に属性が登録済みユーザである顔画像が含まれる場合に、該複数の顔画像に対応する人物集合中に登録済みユーザが含まれることを示し、このような場合に、ドアアクセス制御装置前の複数の訪問者が知り合う可能性が高いため、登録済みユーザが検出される時に該複数の訪問者を通過させることにより、ドアアクセス制御装置はドアアクセス装置に開放コマンドを送信し、ドアアクセス装置を開放にすることができる。別の状況では、複数の顔画像中に属性が登録済みユーザである顔画像が含まれない場合に、該複数の顔画像に対応する人物集合中に登録済みユーザが含まれないことを示し、このような場合に、ドアアクセス制御装置はドアアクセス認証要求コマンドを受信し、且つ該ドアアクセス認証要求コマンドが正しく認証されたと、ドアアクセス制御装置はドアアクセス装置に開放コマンドを送信し、ドアアクセス装置を開放にすることができる。
【０１０６】
３０６において、それぞれの顔画像に対応する通過記録を生成する。
【０１０７】
本実施例では、ドアアクセス装置に開放コマンドを送信し、ドアアクセス装置を開放するように制御した場合に、それぞれの顔画像に対応する通過記録を生成し、その内に、前記通過記録には通過時間、地点及び顔画像中の少なくとも１つが含まれる。ドアアクセス制御装置はドアアクセス装置に開放コマンドを送信し、ドアアクセス装置を開放するように制御する同時に、通過する訪問者の通過記録を記録する、即ち異なる顔画像に対して対応する通過時間及び地点などを含む通過記録を生成する必要があり、顔画像と通過記録とを関連付けて、管理者は後続で訪問者の通過記録を問い合わせなどが可能である。
【０１０８】
一実施例では、第１の顔画像に対する訪問権限変更情報を受信し、訪問権限変更情報には訪問場所、訪問回数及び／又は訪問時間が含まれ、訪問権限変更情報は第１の顔画像に対応する訪問権限を変更する。
【０１０９】
本実施例では、顔画像に通過記録が関連つけられた以外に、訪問権限も関連付けられるので、ドアアクセス制御装置は、登録済みユーザの訪問権限を変更することができる。実際の応用で、ドアアクセス制御装置は第１の顔画像に関する訪問権限変更情報を受信した場合に、該訪問権限変更情報中の訪問場所、訪問回数及び／又は訪問時間に基づいて、第１の顔画像の訪問権限を変更し、第１の顔画像に対応する訪問者は、許可期間で指定の場所へ限られている回数でしか訪問できなく、例えば、訪問者の訪問権限により、訪問者は９階の会社への訪問権限を３つしか持たず、且つ訪問時間は午後２時から午後６時までの期間に限定される。同様に、未登録ユーザが身元認証に通った後、即ちドアアクセス認証要求コマンド認証に通った後、ドアアクセス制御装置は該未登録ユーザの顔画像及び関連する通過記録を保存し、該未登録ユーザも登録済みユーザになる。その内に、第１の顔画像はいずれか１つの顔データベース中に既存する顔画像、即ち属性が登録済みユーザである顔画像であってもよい。
【０１１０】
一実施例では、前記ドアアクセス認証要求コマンド認証に通った後、前記ドアアクセス装置に登録情報取得コマンドを送信し、前記ドアアクセス装置から送信した生体特徴情報を含む登録情報を受信し、前記登録情報と前記顔画像を関連付ける。
【０１１１】
本実施例では、ドアアクセス制御装置は、ドアアクセス認証要求コマンド認証に通った後、ドアアクセス装置に登録情報取得コマンドを送信することができ、ドアアクセス装置は、指紋、声紋及びアイリス情報などの生体特徴情報の入力を該訪問者に促す提示情報を表示し、そして該訪問者の生体特徴情報などと該訪問者の顔画像と関連付けて、訪問者の情報をさらに補充し、人々の生体特徴情報は互いに異なるので、該生体特徴情報によって該訪問者の身元の一意性及び真実性を効果的に確保することができる。
【０１１２】
一実施例では、前記ドアアクセス認証要求コマンド認証に通った後、前記ドアアクセス認証要求コマンドに基づいて身元情報、訪問対象、訪問事由及び／又は接待人情報を含む訪問情報を取得し、前記訪問情報と前記顔画像とを関連付ける。
【０１１３】
本実施例では、ドアアクセス制御装置は、さらにドアアクセス認証要求コマンド認証に通った後、ドアアクセス装置から返信したドアアクセス認証要求コマンドに基づいて、会社フロントデスクの端末機器または会社の公式サイトデータが記憶されたサーバ等から該訪問者の訪問情報を取得し、該訪問情報は該訪問者がドアアクセス装置を通る前にフロントデスクまたは会社公式サイトで登録した情報であり、本実施例では限定されない。該訪問情報には該訪問者の身元、訪問対象、訪問事由、及び接待人の情報などが含まれる。
【０１１４】
３０７において、ドアアクセス装置にドアベルトリガーインターフェイス表示コマンドを送信し、及び／又は警報提示を送信する。
【０１１５】
本実施例では、ドアアクセス制御装置はドアアクセス認証要求コマンドを受信していない、またはドアアクセス制御装置はドアアクセス認証要求コマンドを受信したが、ドアアクセス認証要求コマンド認証に通らない場合、ドアアクセス制御装置はドアアクセス装置にドアベルトリガーインターフェイス表示コマンドを送信し、その後、ドアアクセス装置はトリガードアベルの鳴動のためのアイコンを含むドアアクセストリガーインターフェースを表示し、訪問者は該アイコンをクリックしてドアベルをトリガーし、そして管理者にビデオまたは音声で対話することができ、管理者は訪問者の身元をリモートで検証した後、ドアアクセス装置に身元確認結果を送信し、その後、ドアアクセス制御装置はドアアクセス装置を開放するように制御することにより、管理者はリモート操作で訪問者の身元を認証し、ドアアクセス制御の効率を向上させることができる。また、ドアアクセス制御装置は、さらに警告灯点滅、アラームの鳴動及び／又は警告表示などの警報提示を発することができ、管理者に未登録ユーザの存在を提示し、また未登録ユーザに再度入力などを促す。
【０１１６】
前記の実施例に対して、本実施例では、訪問者に対する管理をアップグレードする。前記の実施例では主に訪問者の身元を検証し、訪問者の通過を制限する方法を説明したが、本実施例では、さらに訪問者の通過状況を記録し、且つドアアクセス認証要求コマンド認証が失敗した状況で対処方法を追加するので、本実施例は、ドアアクセスの通過効率及びドアアクセスの安全性を向上させる。
【０１１７】
本実施例は、前記第１の実施例の方法を実行するためのユニットを含むドアアクセス制御装置を更に提供する。実際の応用で、図４を参照して、本実施例によって提供されるドアアクセス制御装置の模式ブロック図である。本実施例のドアアクセス制御装置は、収集ユニット４０１、識別ユニット４０２、確定ユニット４０３、判定ユニット４０４、制御ユニット４０５、受信ユニット４０６及び認証ユニット４０７を含み、一実施例では、
収集ユニット４０１は、シーン画像を収集するように構成され、
識別ユニット４０２は、前記シーン画像中の１つまたは複数の顔画像を識別するように構成され、
確定ユニット４０３は、登録済みユーザ及び未登録ユーザを含む前記顔画像の属性を確定するように構成され、
判定ユニット４０４は、前記シーン画像中に複数の顔画像が含まれる状況に応じて、前記複数の顔画像に対応する属性中に前記登録済みユーザが含まれるかどうかを判定するように構成され、
制御ユニット４０５は、前記複数の顔画像に対応する属性中に前記登録済みユーザが含まれる時に、ドアアクセス装置に開放コマンドを送信し、前記ドアアクセス装置を開放するように制御するように構成され、
受信ユニット４０６は、ドアアクセス認証要求コマンドを受信するように構成され、対応して、前記判定ユニット４０４は、さらに前記ドアアクセス認証要求コマンドを受信したかどうかを判定するように構成され、
認証ユニット４０７は、前記ドアアクセス認証要求コマンドを認証するように構成され、
制御ユニット４０５は、さらに前記ドアアクセス認証要求コマンドを受信したことに応じて、前記ドアアクセス認証要求コマンド認証に通った場合に、前記ドアアクセス装置に開放コマンドを送信し、前記ドアアクセス装置を開放するように制御するように構成される。
【０１１８】
一実施例では、前記ドアアクセス制御装置は、前記ドアアクセス認証要求コマンド認証に通らない場合に、前記ドアアクセス装置にドアベルトリガーインターフェイス表示コマンドを送信するように構成される送信ユニット４０８を更に含む。
【０１１９】
一実施例では、前記ドアアクセス制御装置は、警報提示を送信するように構成される警報ユニット４０９を更に含む。
【０１２０】
一実施例では、警報ユニット４０９は、さらに前記複数の顔画像に対応する属性中に前記登録済みユーザが含まれ、且つ前記登録済みユーザの数が前記顔画像の数より小さい場合に、警報提示を送信するように構成される。
【０１２１】
一実施例では、判定ユニット４０４は、さらに前記シーン画像中に１つの顔画像が含まれる状況に応じて、前記顔画像の属性が前記登録済みユーザであるかどうかを判定するように構成される。
【０１２２】
一実施例では、制御ユニット４０５は、さらに前記顔画像の属性が前記登録済みユーザである時に、ドアアクセス装置に前記開放コマンドを送信し、前記ドアアクセス装置を開放するように制御するように構成される。
【０１２３】
一実施例では、判定ユニット４０４は、さらに前記ドアアクセス認証要求コマンドを受信したかどうかを判定するように構成され、
一実施例では、制御ユニット４０５は、さらに前記ドアアクセス認証要求コマンドを受信したことに応じて、前記ドアアクセス認証要求コマンド認証に通った場合に、前記ドアアクセス装置に開放コマンドを送信し、前記ドアアクセス装置を開放するように制御するように構成される。
【０１２４】
一実施例では、識別ユニット４０２は、さらに前記複数の顔画像それぞれが属する訪問者の間の身体動作を識別するように構成される。
【０１２５】
一実施例では、前記ドアアクセス制御装置は、前記身体動作に基づいて前記複数の顔画像にグループ属性をマーキングするように構成され、前記グループ属性が、前記複数の顔がそれぞれ属する訪問者の間の対人関係を表すために用いられる組分けユニット４１０を更に含む。
【０１２６】
一実施例では、受信ユニット４０６は、さらに第１の顔画像に対する訪問権限変更情報を受信するように構成され、前記訪問権限変更情報が訪問場所、訪問回数及び／又は訪問時間を含む。
【０１２７】
一実施例では、前記ドアアクセス制御装置は、さらに前記訪問権限変更情報に基づいて前記第１の顔画像に対応する訪問権限を変更するように構成される変更ユニット４１１を更に含む。
【０１２８】
一実施例では、前記ドアアクセス制御装置は、前記ドアアクセス装置に開放コマンドを送信し、前記ドアアクセス装置を開放するように制御する場合に、それぞれの顔画像に対応する、通過時間、地点及び前記顔画像中の少なくとも１つを含む通過記録を生成するように構成される記録ユニット４１２を更に含む。
【０１２９】
本実施例では、識別ユニットはシーン画像中の少なくとも１つの顔を識別でき、シーン画像中に複数の顔が含まれる場合に、識別ユニットは該複数の顔を並列に識別できるので、シーン画像の取得から特定顔を識別するまでの完全な過程を経って各顔をそれぞれ識別する手法と比較して、シーン画像中の複数の顔を同時に識別することにより識別効率を大幅に向上させ、識別から認証に通るまでの時間を短縮できる。そして、識別ユニットは訪問者がドアアクセス装置を通過する前に、その訪問者の顔を識別し、識別した該顔が属する訪問者が顔データベース中の顔であるかどうかを識別し、その後、判定ユニットは訪問者がドアアクセス装置を通過したい場合に前の識別結果に基づいて現在認証しようとする訪問者が長期訪問者または短期訪問者であるかどうかを判定し、長期訪問者または短期訪問者のみスムーズに通過できるので、ドアアクセス装置を通過する前に訪問者が識別され、識別から認証に通るまでの時間を短縮し、且つ効果的に見知らぬ訪問者の出入を制限でき、またより正確且つ効果的に見知らぬ訪問者の訪問状況を記録できるため、ドアアクセス制御の効率を大幅に向上させる。
【０１３０】
なお、前記の実施例のドアアクセス制御装置の具体的な実施例については、前記ドアアクセス制御方法の各実施例の説明を参照すればよく、ここで重複に説明されない。
【０１３１】
図５に示すように、本実施例は、ドアアクセス制御装置５１０及びドアアクセス装置５２０を含むドアアクセスシステムを更に提供し、その内に、前記ドアアクセス制御装置５１０は、前記ドアアクセス装置５２０の開閉を制御し、訪問者の通過を制限するように構成され、実際の応用で、ドアアクセス制御装置５１０は前記第１の実施例の方法を実行するために用いられる。
【０１３２】
なお、ドアアクセス制御装置５１０に、さらに処理モジュール、顔データベース及び撮像モジュールが含まれ、その内に、処理モジュールは前記第１の実施例の方法を実行するために用いられ、顔データベースは各登録済み訪問者の顔画像を記憶するために用いられ、撮像モジュールは訪問者の画像を撮像するために用いられる。
【０１３３】
なお、前記顔データベース及び撮像モジュールはドアアクセス制御装置に含まれてもよく、または含まれなく、他の端末機器、サーバまたは１つの外部の単独の外部機器に含まれてもよく、本実施例では限定されない。
【０１３４】
図６を参照し、本実施例では、１つの或１つの以上のプロセッサー６１０、通信インタフェース６２０及びメモリ６３０を含む別のドアアクセス制御装置を提供し、プロセッサー６１０、通信インタフェース６２０及びメモリ６３０はバス６４０を介して相互に接続され、その内に、通信インタフェース６２０は其の電子デバイスとデータを交換するように構成され、メモリ６３０はプログラムコマンドを含むコンピュータプログラムを記憶するように構成され、プロセッサー６１０はプログラムコマンドを呼び出し、前記の実施例の方法を実行するように構成され、一実施例では、
プロセッサー６１０は、識別ユニット４０２の機能を実行し、前記シーン画像中の１つまたは複数の顔画像を識別するように構成され、さらに確定ユニット４０３の機能を実行し、登録済みユーザ及び未登録ユーザを含む前記顔画像の属性を確定するように構成され、さらに判定ユニット４０４の機能を実行し、前記シーン画像中に複数の顔画像が含まれる状況に応じて、前記複数の顔画像に対応する属性中に前記登録済みユーザが含まれるかどうかを判定するように構成され、さらに制御ユニット４０５の機能を実行し、前記複数の顔画像に対応する属性中に前記登録済みユーザが含まれる時に、ドアアクセス装置に開放コマンドを送信し、前記ドアアクセス装置を開放するように制御するように構成され、
通信インタフェース６２０は、収集ユニット４０１の機能を実行し、シーン画像を収集するように構成され、さらに受信ユニット４０６の機能を実行し、ドアアクセス認証要求コマンドを受信するように構成される。
【０１３５】
一実施例では、プロセッサー６１０は、前記ドアアクセス認証要求コマンドを受信したかどうかを判定し、認証ユニット４０７の機能を実行し、前記ドアアクセス認証要求コマンドを認証するように構成され、さらに前記ドアアクセス認証要求コマンドを受信したことに応じて、前記ドアアクセス認証要求コマンド認証に通った場合に、前記ドアアクセス装置に開放コマンドを送信し、前記ドアアクセス装置を開放するように制御するように構成される。
【０１３６】
一実施例では、通信インタフェース６２０は、送信ユニット４０８の機能を実行し、前記ドアアクセス認証要求コマンド認証に通らない場合に、前記ドアアクセス装置にドアベルトリガーインターフェイス表示コマンドを送信するように構成され、さらに警報ユニット４０９の機能を実行し、警報提示を送信するように構成され、さらに前記複数の顔画像に対応する属性中に前記登録済みユーザが含まれ、且つ前記登録済みユーザの数が前記顔画像の数よりもちいさい場合に、警報提示を送信するように構成され、さらに前記シーン画像中に１つの顔画像が含まれる状況に応じて、前記顔画像の属性が前記登録済みユーザであるかどうかを判定するように構成され、さらに前記顔画像の属性が前記登録済みユーザである時、前記ドアアクセス装置に前記開放コマンドを送信し、前記ドアアクセス装置を開放するように制御するように構成され、さらに前記ドアアクセス認証要求コマンドを受信したかどうかを判定するように構成され、さらに前記ドアアクセス認証要求コマンドを受信したことに応じて、前記ドアアクセス認証要求コマンド認証に通った場合に、前記ドアアクセス装置に開放コマンドを送信し、前記ドアアクセス装置を開放するように制御するように構成され、さらに前記複数の顔画像それぞれが属する訪問者の間の身体動作を識別するように構成される。
【０１３７】
一実施例では、プロセッサー６１０は、さらに組分けユニット４１０の機能を実行し、前記身体動作に基づいて前記複数の顔画像にグループ属性をマーキングするように構成され、前記グループ属性が、前記複数の顔がそれぞれ属する訪問者の間の対人関係を表すために用いられる。
【０１３８】
一実施例では、プロセッサー６１０は、さらに第１の顔画像に対する訪問権限変更情報を受信するように構成され、前記訪問権限変更情報が訪問場所、訪問回数及び／又は訪問時間を含む。
【０１３９】
一実施例では、プロセッサー６１０は、さらに変更ユニット４１１の機能を実行し、前記訪問権限変更情報に基づいて前記第１の顔画像に対応する訪問権限を変更するように構成される。
【０１４０】
一実施例では、プロセッサー６１０は、さらに記録ユニット４１２の機能を実行し、前記ドアアクセス装置に開放コマンドを送信し、前記ドアアクセス装置を開放するように制御する場合に、それぞれの顔画像に対応する、通過時間、地点及び前記顔画像中の少なくとも１つを含む通過記録を生成するように構成される。
【０１４１】
本実施例では、前記プロセッサー６１０は、中央処理ユニット（Ｃｅｎｔｒａｌ  Ｐｒｏｃｅｓｓｉｎｇ  Ｕｎｉｔ、ＣＰＵ）であってもよく、該プロセッサーはさらに他の汎用プロセッサー、デジタル信号プロセッサー（Ｄｉｇｉｔａｌ  Ｓｉｇｎａｌ  Ｐｒｏｃｅｓｓｏｒ、ＤＳＰ）、専用集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）、または他のプログラマブルロジックデバイス、ディスクリートゲートまたはトランジスタロジックデバイス、ディスクリートハードウェアコンポーネントなどであってもよい。汎用プロセッサーはマイクロプロセッサーであってもよく、または該プロセッサーは任意の従来のプロセッサーなどであってもよい。
【０１４２】
該メモリ６３０は、読み取り専用メモリ及びランダムアクセスメモリを含み得、プロセッサー６１０にコマンド及びデータを提供する。メモリ６３０の一部は、不揮発性ランダムアクセスメモリも含み得る。例えば、メモリ６３０は、デバイスタイプの情報も記憶することができる。
【０１４３】
本実施例で説明されるプロセッサー６１０、通信インタフェース６２０及びメモリ６３０は、本実施例によって提供されるドアアクセス制御方法の第１の実施例、第２の実施例及び第３の実施例で説明される実現方式を実行してもよく、本実施例で説明されるドアアクセス制御装置の実現方式を実行してもよく、ここで重複に説明されない。
【０１４４】
本実施例は、プログラムコマンドを含むコンピュータプログラムが記憶されたコンピュータ可読記憶媒体を更に提供し、プロセッサーによってプログラムコマンドを実行して、前記の実施例の方法を実行する。
【０１４５】
コンピュータ可読記憶媒体は、ドアアクセス制御装置のハードディスクまたはメモリなどの前記いずれかの実施例のドアアクセス制御装置の内部記憶ユニットであってもよい。コンピュータ可読記憶媒体は、ドアアクセス制御装置に配置されるプラグインハードディスク、スマートメディアカード（Ｓｍａｒｔ  Ｍｅｄｉａ  Ｃａｒｄ、  ＳＭＣ）、セキュアデジタル（Ｓｅｃｕｒｅ  Ｄｉｇｉｔａｌ、  ＳＤ）カード、フラッシュメモリカード（Ｆｌａｓｈ  Ｃａｒｄ）などのドアアクセス制御装置の外部記憶装置であってもよい。さらに、コンピュータ可読記憶媒体は、ドアアクセス制御装置の内部記憶ユニットと外部記憶装置の両方を含んでも良い。コンピュータ可読記憶媒体は、コンピュータプログラム及びドアアクセス制御装置が必要とする他のプログラム及びデータを記憶するために用いられる。コンピュータ可読記憶媒体は、出力された、または出力しようとするデータを一時的に記憶するために用いられる。
【０１４６】
本明細書に開示される実施例に関連して説明される様々な例のユニット及アルゴリズムステップは、電子ハードウェア、コンピュータソフトウェアまたは両者の組合わせによって実現され得、ハードウェア及びソフトウェアの交換性を明確に説明するために、前記の説明では機能の観点から一般的に様々な例の構成およびステップを説明することを当業者は理解するであろう。これらの機能がハードウェアで実行されるかソフトウェアで実行されるかは、技術的解決策の特定の応用及び設計上の制約条件に依存する。当業者は、それぞれの特定の応用ごとに異なる方法を使用して説明された機能を実現することができるが、そのような実現は本願の範囲を超えると見なされるべきではない。
【０１４７】
当業者は、説明の便宜上および簡潔にするために、前記のサーバ及びユニットの具体的な動作過程は、前記の方法の実施例中の対応過程を参照すればよいことを明確に理解することができ、ここで重複に説明されない。
【０１４８】
本願によって提供されるいくつかの実施例では、開示されたサーバ及び方法は他の方式で実現され得ることを理解されたい。例えば、前記の装置の実施例は単なる例示であり、例えば、ユニットの分割は論理機能の分割に過ぎず、実際に実現する時に別の分割方式があり得、例えば複数のユニットまたはコンポーネントを組合わせ、または別のシステムに集積され得、あるいは一部の特徴を省略し、または実行しなくてもよい。また、図示または説明された相互結合または直接結合または通信接続は、いくつかのインタフェース、装置またはユニットを介した間接結合または通信接続であってもよく、電気的に、機械的または他の形式の接続であってもよい。
【０１４９】
個別の部材として説明されるユニットは、物理的に分離される場合とされない場合があり、ユニットとして表示される部材は、物理ユニットである場合とではない場合があり、つまり、１つの場所に設置されてもよく、または複数のネットワークユニット上に分散して設置されてもよい。実際のニーズに従って、その一部または全部のユニットを選択して本実施例の解決策の目的を実現してもよい。
【０１５０】
なお、本願の各実施例における各機能ユニットは、１つの処理ユニットに集積されてもよく、各ユニットが物理的に別々存在してもよく、または２つまたは２つ以上のユニットが１つのユニットに集積されてもよい。前記集積ユニットは、ハードウェアの形で実現されてもよく、ソフトウェア機能ユニットの形で実現されてもよい。
【０１５１】
集積ユニットは、ソフトウェア機能ユニットの形で実現され単独の製品として販売または使用される場合に、１つのコンピュータ可読記憶媒体に記憶されてもよい。そのような理解に基づいて、本願の技術的解決策は本質的にまたは従来技術への貢献の一部であり得るか、または該技術的解決策のすべてまたは一部は１つの記憶媒体に記憶されたソフトウェア製品の形で具現化され得、いくつのコマンドを含んで１台のコンピュータ機器（パーソナルコンピュータ、サーバ、またはネットワーク装置などであってもよい）に本願の各実施例方法の全部または一部のステップを実行させる。前記の記憶媒体には、Ｕディスク、モバイルハードディスク、読み取り専用メモリ（ＲＯＭ、Ｒｅａｄ−Ｏｎｌｙ  Ｍｅｍｏｒｙ）、ランダムアクセスメモリ  （ＲＡＭ、ＲａｎｄｏＭＡｃｃｅｓｓ  Ｍｅｍｏｒｙ）、磁気ディスクまたは光ディスクなどのプログラムコードを記憶可能な各種の媒体が含まれる。
【図１】
0006887028.tif 000002
【図２】
0006887028.tif 000003
【図３】
0006887028.tif 000004
【図４】
0006887028.tif 000005
【図５】
0006887028.tif 000006
【図６】
0006887028.tif 000007